(57)【要約】      （修正有）【課題】構造が簡単であり、かつ循環流水の調節障害とならない構造の水位調節装置を設けた水耕栽培装置を提供する。【解決手段】水耕栽培装置は、給水管３に養液タンク６内の水中ポンプ７が接続され、最上位の栽培パイプ２に液肥が給水され、給水管３から供給された液肥が連結パイプ５を介して栽培パイプ２を蛇行状に水位調節装置により水位調整されながら順次循環して排水管４から養液タンク６に戻される。また、正面視三角形状の取付台１の底辺部に設けたガイドレール９に苗箱８を載せて苗を生育し、時々散水具１３により栽培パイプ同士の隙間を広く空けた空間１４から散水し、日照が足りない場合にはガイドレール９の上方に設けた生育用照明器具１０を点灯させる。このようにして生育させた苗は、栽培パイプの栽培孔に保持させることでさらに大きく成長させることができる。【選択図】図１
0003204062.tif 000002
【実用新案登録請求の範囲】
【請求項１】
正面視三角形状の取付台の斜辺部の周囲に階段状に水平又は下流側にやや傾斜した栽培パイプを複数個設け、該栽培パイプの最上部の栽培パイプに給水管、最下部の栽培パイプに排水管を接続し、かつ液肥が循環するように上流側の栽培パイプと下流側の栽培パイプをそれぞれ蛇行状に連結パイプで接続する水耕栽培装置において、前記階段状に配置された栽培パイプの適宜高さ位置に、前記栽培パイプ同士の隙間を広く空けた空間を形成することを特徴とする水耕栽培装置。
【請求項２】
前記正面視三角形状の取付台の底辺部には、苗箱を載せるガイドレールを一列又は並列に敷設したことを特徴とする請求項１記載の水耕栽培装置。
【請求項３】
前記ガイドレールの上方の適宜高さ位置には、ＬＥＤライトなどの生育用照明器具を設けることを特徴とする請求項２記載の水耕栽培装置。
【請求項４】
正面視三角形状の取付台の斜辺部の周囲に階段状に水平又は下流側にやや傾斜した栽培パイプを複数個設け、該栽培パイプの最上部の栽培パイプに給水管、最下部の栽培パイプに排水管を接続し、かつ液肥が循環するように上流側の栽培パイプと下流側の栽培パイプをそれぞれ蛇行状に連結パイプで接続する水耕栽培装置において、前記栽培パイプの下流側端部に水位調節装置を設けたことを特徴とする水耕栽培装置。
【請求項５】
前記水位調節装置は、栽培パイプが嵌合する円筒部材と、該円筒部材の他端に一体に形成したフランジ部材と、Ｕ字パッキングを介して前記フランジ部材同士を背中合わせに組み合わせてボルトナットで締め付け固定し、他方の円筒部材に連結パイプを接続し、さらに前記フランジ部材同士との隙間に抜き差しされる水位調整板とから構成されることを特徴とする請求項４記載の水耕栽培装置。
【請求項６】
前記水位調整板は、下端を円弧にした平板の下部中央に開口度の異なる半円状の３種類の開口部を設けた差し込み板からなることを特徴とする請求項５記載の水耕栽培装置
【考案の詳細な説明】
【技術分野】
【０００１】
本考案は、野菜、果菜類等を栽培する合成樹脂製円筒パイプに液肥を循環させながら、野菜や果菜類などを栽培する水耕栽培装置に関する。
【背景技術】
【０００２】
従来、水槽から水を汲み上げ上部パイプから流し、水を循環させながら、育成ポット内の固定材（保水効果がある海綿を使用）に、種および苗をはさみ固定し、流水式の水耕栽培ができる流水式水耕栽培機が知られている（特許文献１を参照）。
この公知技術は、三角形状の取付台の周囲に階段状に育成パイプを設け、該育成パイプの上部に給水口、下部に排水口を設け、かつ前記育成パイプに常に水に浸（つ）かるように水高安定弁を育成パイプ内部に設け、前記育成パイプに整列状態に複数個の育成ポット差込口を設け、さらに前記取付台の下部に水槽を設け、該水槽に給水管を設け、前記育成パイプに前記給水管を取り付けて水耕栽培ができるようにした流水式水耕栽培機である。
【０００３】
しかし、この流水式水耕栽培機は、育成パイプの内部に常に水に浸（つ）かるように水高安定弁を設けたものであるが、その高さ調節が困難であり、しかも循環流水の調節障害となるような構造であった。そのため、構造が簡単であり、かつ循環流水の調節障害とならない構造の水位調節装置が望まれていた。
【０００４】
また、略水平に延びる円筒状の複数の栽培用ベッドが階段状に設けられ、これら栽培用ベッドには、各上部側の面に、内部に貫通する定植孔が長手方向に沿って所定の間隔で複数形成されている水耕栽培装置が知られている（特許文献２を参照）。
【０００５】
この公知技術は、各定植孔には、栽培用ベッド内で、養液を下部側から上部側へと毛管現象により吸い上げる多孔性材料からなる柱状の栽培床が挿入されているため、酸素の供給が空気層から行われることにより、養液中に溶け込んでいる酸素量が少なくても、植物の生長は何ら阻害されることはない。そのため、養液中の溶存酸素量を増加させるために養液を循環させたりバブリングさせるための装置を設ける必要がないものである。
【０００６】
しかし、この水耕栽培装置は、栽培用ベッドの養液を循環させるものでないため、養液の水管理が面倒であり、また多孔性材料からなる栽培床の製造にも困難が伴うものであった。そのため、構造が簡単であり、かつ循環流水の障害とならない構造の水位調節装置が望まれていた。
【先行技術文献】
【特許文献】
【０００７】
【特許文献１】特開２０１０−３５５４０号公報
【特許文献２】実開平６−７０５４７号公報
【考案の概要】
【考案が解決しようとする課題】
【０００８】
本考案は、構造が簡単であり、かつ循環流水の調節障害とならない構造の水位調節装置を設けた水耕栽培装置を提供することを目的とする。
【課題を解決するための手段】
【０００９】
本考案の水耕栽培装置は、正面視三角形状の取付台の斜辺部の周囲に階段状に水平又は下流側にやや傾斜した栽培パイプを複数個設け、該栽培パイプの最上部の栽培パイプに給水管、最下部の栽培パイプに排水管を接続し、かつ液肥が循環するように上流側の栽培パイプと下流側の栽培パイプをそれぞれ蛇行状に連結パイプで接続する水耕栽培装置において、前記階段状に配置された栽培パイプの適宜高さ位置に、前記栽培パイプ同士の隙間を広く空けた空間を形成する。
前記正面視三角形状の取付台の底辺部には、苗箱を載せるガイドレールを一列又は並列に敷設する。
前記ガイドレールの上方の適宜高さ位置には、ＬＥＤライトなどの生育用照明器具を設ける。
【００１０】
本考案の水耕栽培装置は、正面視三角形状の取付台の斜辺部の周囲に階段状に水平又は下流側にやや傾斜した栽培パイプを複数個設け、該栽培パイプの最上部の栽培パイプに給水管、最下部の栽培パイプに排水管を接続し、かつ液肥が循環するように上流側の栽培パイプと下流側の栽培パイプをそれぞれ蛇行状に連結パイプで接続する水耕栽培装置において、前記栽培パイプの下流側端部に水位調節装置を設ける。
前記水位調節装置は、栽培パイプが嵌合する円筒部材と、該円筒部材の他端に一体に形成したフランジ部材と、Ｕ字パッキングを介して前記フランジ部材同士を背中合わせに組み合わせてボルトナットで締め付け固定し、他方の円筒部材に連結パイプを接続し、さらに前記フランジ部材同士とのＵ字パッキングの隙間に抜き差しされる水位調整板とから構成される。
前記水位調整板は、下端を円弧にした平板の下部中央に開口度の異なる半円状の３種類の開口部を設けた差し込み板からなる。
【考案の効果】
【００１１】
本考案の水耕栽培装置は、前記階段状に配置された栽培パイプの適宜高さ位置に、前記栽培パイプ同士の隙間を広く空けた空間を形成するため、ジョウロ等の散水具により苗箱の苗に水やりができるようになり、三角形状の取付台の底辺部の少ないスペースを有効利用できる。
本考案の水耕栽培装置は、正面視三角形状の取付台の底辺部には、苗箱を載せるガイドレールを一列又は並列に敷設するため、苗の生育を水耕栽培装置近傍で行うことができるので好ましい。
本考案の水耕栽培装置は、前記ガイドレールの上方の適宜高さ位置には、ＬＥＤライトなどの生育用照明器具を設けるので、冬季でも栽培することが可能となる。
本考案の水耕栽培装置は、栽培パイプの下流側端部に水位調節装置を設けるため、構造が簡単であり、かつ循環流水の調節障害とならない水位調節を行うことができる。
【図面の簡単な説明】
【００１２】
【図１】本考案の水耕栽培装置の平面図である。
【図２】本考案の水耕栽培装置の側面図である。
【図３】図２のＡ部の一部を破断した拡大部分説明図である。
【図４】水位調節装置の平面図である。
【図５】水位調節装置の分解斜視図である。
【図６】水位調整板の正面図である。
【図７】図２のＢ部の一部を破断した拡大部分説明図である。
【考案を実施するための形態】
【００１３】
本考案の水耕栽培装置の一実施例を添付図面に基づいて、以下に説明する。
図１の正面図に示すように、本考案の水耕栽培装置は、正面視三角形状の取付台１の斜辺部の周囲に階段状に水平又は下流側にやや傾斜した栽培パイプ２を複数個設け、該栽培パイプ２の最上部の栽培パイプ２に給水管３、最下部の栽培パイプ２に排水管４を接続し、かつ液肥が循環するように上流側の栽培パイプ２と下流側の栽培パイプ２をそれぞれ連結パイプ５で蛇行状に接続する。なお、番号２３は、前記取付台１の脚部である。
【００１４】
また、前記取付台１の近傍の地中に埋設した養液タンク６を設け、該養液タンク６に前記給水管３及び排水管４を接続し、前記給水管３を介して水中ポンプ７により最高位の栽培パイプ２に液肥を供給し、前記連結パイプ５を経て各栽培パイプ２を液肥が順次蛇行状に循環するようにして、最低位の栽培パイプ２から排水管４を介して養液タンク６に液肥を戻すようにする。
前記正面視三角形状の取付台１の底辺部には、苗箱８を載せるガイドレール９を一列又は並列に敷設し、さらに前記ガイドレール９の上方の適宜高さ位置には、ＬＥＤライトなどの生育用照明器具１０を設ける。
【００１５】
図２の側面図に示すように、前記栽培パイプ２は、塩ビ等の合成樹脂製パイプから成り、円周面上部に等間隔に野菜などの苗を保持した栽培筒１１を支持する栽培孔１２を複数個穿孔する。なお、前記連結パイプ５も塩ビ等の合成樹脂製パイプから成る。
前記階段状に配置された栽培パイプ２の適宜高さ位置に、ジョウロ等の散水具１３により苗箱８の苗に水やりができるように前記栽培パイプ２，２同士の隙間を広く空けた空間１４を形成する。
【００１６】
前記最上段の栽培パイプ２の上流側端部に給水管３を接続し、かつ栽培パイプ２の下流側端部に水位調節装置１５を介して連結パイプ５を接続する。
次段の栽培パイプ２にも、以下同様にして、連結パイプ５に接続しかつ栽培パイプ２の下流側に水位調節装置１５を介して連結パイプ５を接続する。
そして、前記最下段の栽培パイプ２は、連結パイプ５に接続しかつ栽培パイプ２の下流側に水位調節装置１５を介して排水管４を接続する。
【００１７】
このようにして、前記給水管３には水中ポンプ７が接続され、最上位の栽培パイプ２に液肥が給水されて循環利用されるようになっている。
前記給水管３から供給された液肥が、連結パイプ５を介して前記栽培パイプ２を蛇行状に水位調節装置１５により水位調整されながら順次循環して前記排水管４から養液タンク６に戻される。
【００１８】
図３の拡大断面図、図４の平面図に示すように、前記水位調節装置１５は、栽培パイプ２が嵌合する円筒部材１６と、該円筒部材１６の他端に一体に形成したフランジ部材１７と、Ｕ字パッキング１８を介して前記フランジ部材１７同士を背中合わせに組み合わせてボルトナットで締め付け固定し、他方の円筒部材１６に連結パイプ５を接続し、さらに前記フランジ部材１７，１７同士とのＵ字パッキング１８の隙間に抜き差しされる水位調整板１９とから構成される。
図５の分解斜視図に円筒部材１６、フランジ部材１７、Ｕ字パッキング１８の位置関係を示す。
【００１９】
前記水位調整板１９は、図６の正面図に示すように、下端を円弧にした平板の下部中央に開口度の異なる半円状の３種類の開口部２０を設けた差し込み板からなり、（ａ）高水位調整板、（ｂ）中水位調整板、（ｃ）低水位調整板の３種類で栽培パイプ２の水位調整を行う。
【００２０】
次に、本考案の水耕栽培装置の操作動作を添付図面に基づいて、以下に説明する。
図１に示すように、地中に埋設された養液タンク６内には必要に応じて熱交換器２１が内蔵され、前記養液タンク６内の液肥の温度をほぼ一定に保つ。
水中ポンプ７により給水管３を介して最上位の栽培パイプ２に液肥を供給し、連結パイプ５を経て各栽培パイプ２を液肥が順次蛇行状に循環するようにして、最下位の栽培パイプ２から排水管４を介して養液タンク６に液肥を戻すようにする。
図２に示すように、前記栽培パイプ２には、円周面上部に等間隔に野菜などの苗を保持する栽培筒１１を支持する栽培孔１２が複数個穿孔されており、前記栽培筒１３に苗ポットなどを挿入固定する。
なお、階段状に配置された栽培パイプ２の適宜高さ位置に、ジョウロ等の散水具１３により苗箱８の苗に水やりができるように前記栽培パイプ２，２同士の隙間を広く空けた空間１４を備えている。
【００２１】
前記水位調節装置１５は、図３の図２のＡ部の一部を破断した拡大部分説明図に示すように、栽培パイプ２が嵌合する円筒部材１６と、該円筒部材１６に一体に形成したフランジ部材１７と、Ｕ字パッキング１８を介してフランジ部材１７を背中合わせに組み合わせて連結し、前記フランジ部材１７，１７とのＵ字パッキング１８の隙間に抜き差しされる水位調整板１９を設ける。
他方の円筒部材１６に連結パイプ５が挿入嵌合され、該連結パイプ５にはエルボパイプ２２を介して連結パイプ５が嵌合挿入される。
【００２２】
前記水位調整板１９は、図６に示すように、（ａ）高水位調整板、（ｂ）中水位調整板、（ｃ）低水位調整板を適宜交換することで水位調整を行うことができる。
そして、図７の図２のＢ部の一部を破断した拡大部分説明図に示すように、下段の栽培パイプ２に嵌合したエルボパイプ２２を設け、該エルボパイプ２２に上段の栽培パイプ２からの上記連結パイプ５を接続する。
【００２３】
このように、前記給水管３には水中ポンプ７が接続され、最上位の栽培パイプ２に液肥が給水され、前記給水管３から供給された液肥が連結パイプ５を介して前記栽培パイプ２を蛇行状に水位調節装置１５により水位調整されながら順次循環して前記排水管４から養液タンク６に戻される。
また、前記正面視三角形状の取付台１の底辺部に設けたガイドレール９に苗箱８を載せて苗を生育し、時々散水具１３により前記栽培パイプ２，２同士の隙間を広く空けた空間１４から散水し、日照が足りない場合にはガイドレール９の上方に設けた生育用照明器具１０を点灯させる。
このようにして苗箱８で生育させた苗は、栽培パイプ２の栽培孔１２に保持させることでさらに成長させることができる。
本考案の水耕栽培装置は、構造が簡単であり、かつ循環流水の障害とならず、水位調整板１９を交換するだけで簡単に水位調節を行うことができる。
【符号の説明】
【００２４】
１  取付台
２  栽培パイプ
３  給水管
４  排水管
５  連結パイプ
６  養液タンク
７  水中ポンプ
８  苗箱
９  ガイドレール
１０  生育用照明器具
１１  栽培筒
１２  栽培孔
１３  散水具
１４  空間
１５  水位調節装置
１６  円筒部材
１７  フランジ部材
１８  Ｕ字パッキング
１９  水位調整板
２０  開口部
２１  熱交換器
２２  エルボパイプ
２３  脚部
【図１】
0003204062.tif 000003
【図２】
0003204062.tif 000004
【図３】
0003204062.tif 000005
【図４】
0003204062.tif 000006
【図５】
0003204062.tif 000007
【図６】
0003204062.tif 000008
【図７】
0003204062.tif 000009